(57)【要約】【課題】確実にスリーブを固定することができる穿刺アダプタを提供する。【解決手段】アーム１４とフック１８が互いに固定的に連接されており、さらに、境界部１７を支点として二つのアーム１４，１６が開閉自在に交差しているため、アーム１４の開閉動作に連動してフック１８が動作する。つまり、スリーブ２０がアダプタ本体１２の溝に挿入された状態、つまり、図１の（Ｂ）に示す状態において、二つのアーム１４，１６が超音波探触子を挟持すると、それと同時にフック１８がスリーブ２０に引き掛けられる。また、二つのアーム１４，１６が超音波探触子を解放すると同時にフック１８がスリーブ２０から外される。【選択図】図１
2006288773.tif 000002
【特許請求の範囲】
【請求項１】
超音波探触子へ自在に着脱され、さらに、穿刺針を通すためのスリーブが自在に着脱されて穿刺針の太さに応じたスリーブが選択的に装着される穿刺アダプタにおいて、
スリーブの伸長方向に沿ったスリーブ挿入溝が設けられたアダプタ本体部と、
前記スリーブ挿入溝に挿入されたスリーブを前記アダプタ本体部へ固定するスリーブ固定部と、
前記アダプタ本体部を超音波探触子へ固定するアダプタ固定部と、
を有し、
前記アダプタ固定部によるアダプタ本体部の固定動作に連動して前記スリーブ固定部がスリーブを固定し、さらに、前記アダプタ固定部によるアダプタ本体部の解放動作に連動して前記スリーブ固定部がスリーブを解放する、
ことを特徴とする穿刺アダプタ。
【請求項２】
請求項１に記載の穿刺アダプタにおいて、
前記スリーブ固定部は、スリーブのくびれ部分に引き掛けられることにより当該スリーブを前記アダプタ本体部へ固定するフックで構成され、
前記アダプタ固定部は、超音波探触子を挟持することにより前記アダプタ本体部を超音波探触子へ固定する二つのアームで構成される、
ことを特徴とする穿刺アダプタ。
【請求項３】
請求項２に記載の穿刺アダプタにおいて、
前記二つのアームのうちの一方のアームと前記フックは、互いに固定的に連接され、
前記二つのアームは、前記一方のアームと前記フックとの連接部を支点として開閉自在に交差するように前記アダプタ本体部へ取り付けられ、
これにより、前記二つのアームが超音波探触子を挟持すると同時に前記フックがスリーブに引き掛けられ、さらに、前記二つのアームが超音波探触子を解放すると同時に前記フックがスリーブから外される、
ことを特徴とする穿刺アダプタ。
【請求項４】
請求項３に記載の穿刺アダプタにおいて、
前記スリーブは、その伸長方向に沿った少なくとも一部分に、伸長方向に垂直な断面における外周がスリーブの回転を防止するための形状である回転防止部を備え、
前記アダプタ本体部は、スリーブの伸長方向に沿って伸長されたホルダを備え、当該ホルダは、その伸長方向に垂直な断面における内周が前記回転防止部の外周に合致した形状であり、
これにより、前記スリーブの回転防止部が前記ホルダに嵌め込まれた状態で当該スリーブがアダプタ本体部へ固定されてアダプタ本体部に対する当該スリーブの回転が防止される、
ことを特徴とする穿刺アダプタ。
【発明の詳細な説明】
【技術分野】
【０００１】
本発明は、穿刺アダプタに関し、特に超音波探触子に取り付けられる穿刺アダプタに関する。
【背景技術】
【０００２】
直腸や膣などの体腔に挿入して超音波診断を行うための体腔内挿入用の超音波探触子が知られている。その超音波探触子を用いて超音波画像を見ながら穿刺により組織の採取などを行う場合には、穿刺アダプタを超音波探触子に装着し、その穿刺アダプタに穿刺針を取り付けて所望部位への穿刺が行われる。そして従来から、穿刺アダプタやそれが取り付けられる超音波探触子に関する様々な技術が提案されている（下記特許文献参照）。
【０００３】
例えば、特許文献１には、穿刺針を通すパイプ（スリーブ）が穿刺アダプタの本体から取り外し可能な構成が示されている。この構成により、パイプが汚損された場合にパイプのみが交換可能となり、穿刺アダプタごとの交換をより少なくすることができる。
【０００４】
【特許文献１】特開２０００−１８９４２０号公報
【特許文献２】特開昭６０−９２７４７号公報
【特許文献３】特開平４−８４９４８号公報
【特許文献４】特開平３−８６１５６号公報
【発明の開示】
【発明が解決しようとする課題】
【０００５】
穿刺針を通すためのパイプ（スリーブ）が自在に着脱される構成の穿刺アダプタにおいては、穿刺アダプタの本体部にスリーブを確実に且つしっかりと固定しておく必要がある。このため、従来から、スリーブの固定を確実に行うことができる穿刺アダプタの提供が望まれていた。
【０００６】
本発明は、こうした背景において成されたものであり、その目的は、確実にスリーブを固定することができる穿刺アダプタを提供することにある。
【課題を解決するための手段】
【０００７】
上記目的を達成するために、本発明の好適な態様である穿刺アダプタは、超音波探触子へ自在に着脱され、さらに、穿刺針を通すためのスリーブが自在に着脱されて穿刺針の太さに応じたスリーブが選択的に装着される穿刺アダプタにおいて、スリーブの伸長方向に沿ったスリーブ挿入溝が設けられたアダプタ本体部と、前記スリーブ挿入溝に挿入されたスリーブを前記アダプタ本体部へ固定するスリーブ固定部と、前記アダプタ本体部を超音波探触子へ固定するアダプタ固定部と、を有し、前記アダプタ固定部によるアダプタ本体部の固定動作に連動して前記スリーブ固定部がスリーブを固定し、さらに、前記アダプタ固定部によるアダプタ本体部の解放動作に連動して前記スリーブ固定部がスリーブを解放する、ことを特徴とする。
【０００８】
上記構成では、アダプタ本体部を超音波探触子へ固定する動作とスリーブをアダプタ本体部へ固定する動作が連動しているため、アダプタ本体部が超音波探触子へ固定されている場合には、確実にスリーブがアダプタ本体部に固定される。つまり、穿刺アダプタを超音波探触子から外さないかぎり、穿刺アダプタからスリーブを外すことができないため、例えば、手術中に誤ってスリーブを脱落させることがない。
【０００９】
望ましくは、前記スリーブ固定部は、スリーブのくびれ部分に引き掛けられることにより当該スリーブを前記アダプタ本体部へ固定するフックで構成され、前記アダプタ固定部は、超音波探触子を挟持することにより前記アダプタ本体部を超音波探触子へ固定する二つのアームで構成される、ことを特徴とする。
【００１０】
望ましくは、前記二つのアームのうちの一方のアームと前記フックは、互いに固定的に連接され、前記二つのアームは、前記一方のアームと前記フックとの連接部を支点として開閉自在に交差するように前記アダプタ本体部へ取り付けられ、これにより、前記二つのアームが超音波探触子を挟持すると同時に前記フックがスリーブに引き掛けられ、さらに、前記二つのアームが超音波探触子を解放すると同時に前記フックがスリーブから外される、ことを特徴とする。
【００１１】
望ましくは、前記スリーブは、その伸長方向に沿った少なくとも一部分に、伸長方向に垂直な断面における外周がスリーブの回転を防止するための形状である回転防止部を備え、前記アダプタ本体部は、スリーブの伸長方向に沿って伸長されたホルダを備え、当該ホルダは、その伸長方向に垂直な断面における内周が前記回転防止部の外周に合致した形状であり、これにより、前記スリーブの回転防止部が前記ホルダに嵌め込まれた状態で当該スリーブがアダプタ本体部へ固定されてアダプタ本体部に対する当該スリーブの回転が防止される、ことを特徴とする。
【発明の効果】
【００１２】
本発明の穿刺アダプタにより、アダプタ本体部が超音波探触子へ固定されている場合に確実にスリーブがアダプタ本体部に固定される。
【発明を実施するための最良の形態】
【００１３】
以下、本発明の好適な実施形態を図面に基づいて説明する。
【００１４】
図１は、本発明に係る穿刺アダプタの好適な実施形態を説明するための図であり、図１には、穿刺アダプタ１０の外観図が示されている。
【００１５】
穿刺アダプタ１０は、アダプタ本体１２、二つのアーム１４，１６およびフック１８で構成されており、スリーブ２０がアダプタ本体１２へ自在に着脱される。なお、図１の（Ａ）には、スリーブ２０がアダプタ本体１２へ挿入される（あるいはアダプタ本体１２から抜き取られる）状態を示しており、図１の（Ｂ）には、スリーブ２０がアダプタ本体１２へ挿入された状態を示している。本実施形態の穿刺アダプタ１０は、例えば、直腸や膣などの体腔に挿入して超音波診断を行うための体腔内挿入用の超音波探触子などに取り付けられる。
【００１６】
図２は、穿刺アダプタが超音波探触子へ取り付けられた状態を示しており、図２の（Ａ）は、穿刺アダプタ１０の取り付け側（上方）からみた外観図であり、図２の（Ｂ）は、穿刺アダプタ１０の取り付け側とは反対側（下方）からみた外観図である。
【００１７】
体腔内挿入用の超音波探触子３０は、体腔内への挿入を容易にするために、棒状に（円筒状に）伸長された挿入部３２を備えている。ちなみに、その挿入部３２の先端部３２ａに超音波振動子が内蔵される。穿刺アダプタ１０は、超音波探触子３０の挿入部３２の伸長方向に沿って伸長されており、挿入部３２に沿うように取り付けられる。そして、穿刺アダプタ１０から先端部３２ａ側に向けて、図示しない穿刺針が突き出される。
【００１８】
以下、図１に戻って穿刺アダプタ１０の構造を説明する。穿刺アダプタ１０のアダプタ本体１２は、超音波探触子の挿入部（図２の符号３２）の伸長方向に沿って伸長されている。また、穿刺アダプタ１０には、スリーブ２０が自在に着脱される。スリーブ２０は、図示しない穿刺針をガイドするものであり、細い管状（ストロー状）に形成される。穿刺針は、針挿入口２２から挿入されてスリーブ２０内を通り、そしてアダプタ本体１２の先端部１２ｔ側から穿刺針の先端が突き出される。
【００１９】
スリーブ２０は、穿刺針の太さに応じて複数本のセットとして準備されることが望ましい。つまり、穿刺針の太さに応じて異なる内径の複数本のスリーブ２０が準備され、それら複数本のスリーブ２０の中から利用する穿刺針に対応したスリーブ２０が選択的に用いられることが望ましい。なお、セットとして準備される複数本のスリーブ２０の外径は、穿刺アダプタ１０に適合した同一径に揃えられる。つまり、スリーブ２０は、穿刺アダプタ１０のアダプタ本体１２に設けられた溝に挿入されるため、複数本のスリーブ２０の外径はアダプタ本体１２の溝に適合した径に揃えられる。
【００２０】
アダプタ本体１２の溝に挿入されたスリーブ２０は、フック１８によってアダプタ本体１２へ固定される。スリーブ２０には、針挿入口２２の近傍にフック受け２４が設けられている。フック受け２４は、スリーブ２０の伸長方向で隣接する他の部分よりも径が小さく、くびれた形状である。そして、スリーブ２０がアダプタ本体１２の溝に挿入された状態、つまり、図１の（Ｂ）に示す状態において、フック１８の位置にフック受け２４が配置される。さらに、この状態でフック１８がフック受け２４に引き掛けられる。このため、フック１８が引き掛けられるとスリーブ２０の伸長方向のずれが抑えられる。
【００２１】
スリーブ２０は、全体として細い円筒形である。そこで、アダプタ本体１２に挿入されたスリーブ２０の伸長方向を軸とする回転を抑えるために、スリーブ２０には回転ストッパ２６が設けられている。回転ストッパ２６は、その断面形状が略正方形である。つまり、スリーブ２０の伸長方向に垂直な断面における外周の形状が、正方形の四つの角を丸めた形状となっている。
【００２２】
一方、アダプタ本体１２には、回転ストッパ２６が嵌め込まれるホルダ１２ａが設けられている。ホルダ１２ａは、収容される回転ストッパ２６を包み込むように形成されている。ホルダ１２ａの断面は、回転ストッパ２６の断面に対応した形状になっている。つまり、ホルダ１２ａは、アダプタ本体１２の伸長方向に垂直な断面における内周の形状が、回転ストッパ２６の外周の形状に合致した略正方形となっている。このため、スリーブ２０がアダプタ本体１２の溝に挿入された状態、つまり、図１の（Ｂ）に示す状態において、回転ストッパ２６がホルダ１２ａに嵌め込まれて、スリーブ２０のアダプタ本体１２に対する回転が抑えられる。
【００２３】
本実施形態の穿刺アダプタ１０は、二つのアーム１４，１６によって超音波探触子に固定される。そして、二つのアーム１４，１６による穿刺アダプタ１０の固定動作に連動してフック１８がスリーブ２０を固定し、また、二つのアーム１４，１６による穿刺アダプタ１０の解放動作に連動してフック１８がスリーブ２０を解放する。
【００２４】
アーム１４とフック１８は、互いに固定的に連接されて、Ｓ字状の部材を構成している。このＳ字状の部材は、予め一つの部材として形成されてもよいし、アーム１４とフック１８が接合されて形成されてもよい。そして、このＳ字状の部材のアーム１４とフック１８の境界部（連接部）１７を支点として、二つのアーム１４，１６が開閉自在に交差するようにアダプタ本体１２に取り付けられている。
【００２５】
二つのアーム１４，１６は、超音波探触子を囲んだ状態で閉じることによって、超音波探触子を挟持して穿刺アダプタ１０を超音波探触子へ固定する（図２参照）。なお、超音波探触子を固定する際、アーム１４のアームストッパ１４ａが、アーム１６のストッパ受け１６ａに引き掛けられて、二つのアーム１４，１６が互いに固定される。一方、超音波探触子から穿刺アダプタ１０を取り外す際には、アームストッパ１４ａがストッパ受け１６ａから外されて、そして二つのアーム１４，１６を開くことにより、超音波探触子が解放される。
【００２６】
本実施形態では、アーム１４とフック１８が互いに固定的に連接されており、さらに、境界部１７を支点として二つのアーム１４，１６が開閉自在に交差しているため、アーム１４の開閉動作に連動してフック１８が動作する。つまり、スリーブ２０がアダプタ本体１２の溝に挿入された状態、つまり、図１の（Ｂ）に示す状態において、二つのアーム１４，１６が超音波探触子を挟持すると、それと同時にフック１８がスリーブ２０に引き掛けられる。また、二つのアーム１４，１６が超音波探触子を解放すると同時にフック１８がスリーブ２０から外される。
【００２７】
このように、本実施形態の穿刺アダプタ１０は、穿刺アダプタ１０の超音波探触子への取り付けとスリーブ２０の穿刺アダプタ１０への固定が同時に行われる一括ロックタイプとなっている。このため、穿刺アダプタ１０の取り付けとスリーブ２０の固定をそれぞれ別に行う手間が省けることに加え、例えば、穿刺アダプタ１０の取り付けのみを行ってスリーブ２０の固定を忘れてしまうようなことがない。つまり、確実にスリーブ２０の固定が行われる。また、穿刺アダプタ１０を取り外さない限りスリーブ２０が外れないため、スリーブ２０のみを誤って取り外してしまうこともない。
【００２８】
以上、本発明の好適な実施形態を説明したが、上述した実施形態は、あらゆる点で単なる例示にすぎず、本発明の範囲を限定するものではない。
【図面の簡単な説明】
【００２９】
【図１】本発明に係る穿刺アダプタの外観図である。
【図２】本発明に係る穿刺アダプタが超音波探触子へ取り付けられた状態を示す図である。
【符号の説明】
【００３０】
１０  穿刺アダプタ、１２  アダプタ本体、１４，１６  アーム、１８  フック、２０  スリーブ。
【図１】
2006288773.tif 000003
【図２】
2006288773.tif 000004